(57)【要約】【課題】引起し装置による穀粒等の飛散を効果的に遮断する。【解決手段】上記課題は、運転席５の前側に配置される引起し装置８の上方に、前後方向の傾斜姿勢を変更自在なカバー体１５を設けるとともに、このカバー体１５に、その前後方向カバー範囲を拡大自在である調節体５０を設けたことを特徴とするコンバインにより解決できる。【選択図】図２８
2011244726.tif 000002
【特許請求の範囲】
【請求項１】
運転席（５）の前側に、穀稈を引き起す引起し装置（８）が配置されるコンバインにおいて、
該引起し装置（８）の上方に、前後方向の傾斜姿勢を変更自在なカバー体（１５）を設けるとともに、このカバー体（１５）に、その前後方向のカバー範囲を拡大自在とする調節体（５０）を設けたことを特徴とするコンバイン。
【請求項２】
前記カバー体（１５）は、引起し装置（８）の後側で左右方向に架設されたカバー体支軸（１６）を回動支点として上下に揺動することで前後方向の傾斜姿勢を変更する構成とし、前記調節体（５０）は、左右方向に沿う調節体支軸（５１）を介してカバー体（１５）に取り付けられ、この調節体支軸（５１）を回動支点として回動することでカバー体（１５）の前後方向のカバー範囲を拡大する構成としたことを特徴とする請求項１記載のコンバイン。
【請求項３】
前記調節体（５０）及びカバー体（１５）のいずれか一方に前記調節体支軸（５１）が設けられ、いずれか他方に前記調節体支軸（５１）を弾力的に挟持する一対の挟持部（５２，５３）が設けられ、この挟持部（５２，５３）の少なくとも一方（５３）は調節体支軸（５１）が嵌合する受け溝（５３ｄ）を有することを特徴とする請求項１又は２記載のコンバイン。
【請求項４】
走行車体（１）の右側部分又は左側部分に運転席（５）を有し、運転席（５）の前方に引起し装置（８）を左右方向に間隔を空けて３基以上有し、前記カバー体（１５）は両端の引起し装置（８）にわたるように延在しており、前記調節体（５０）は少なくとも運転席（５）と対応する左右方向範囲をカバーするように左右方向に延在していることを特徴とする請求項１〜３のいずれか１項に記載のコンバイン。
【請求項５】
前記引起し装置（８）の横側に配置される刈取サイドカバー（１８，１８）を上部サイドカバー（１８ａ）と下部サイドカバー（１８ｂ）とに分割すると共に、該上部サイドカバー（１８ａ）を前記カバー体（１５）と一体に設けたことを特徴とする請求項１〜４のいずれか１項に記載のコンバイン。
【請求項６】
前記引起し装置（８）の引起しケース（１２）の上端部前面（１２ｕ）を、該引起しケース（１２）の下部前面よりも傾斜の緩い後上がり傾斜姿勢となるように屈曲形成するとともに、前記調節体（５０）のカバー範囲を前方に拡大することにより前記調節体（５０）の前端が引起しケース（１２）の前面の屈曲位置よりも前方に位置しうる構成としたことを特徴とする請求項１〜５のいずれか１項に記載のコンバイン。
【請求項７】
前記カバー体（１５）は、引起し装置（８）の上側を覆うための上面カバー部（１５ａ）と、この上面カバー部（１５ａ）の後端部から引起し装置（８）の後側に向かって屈曲する後面カバー部（１５ｂ）とを有し、このうち上面カバー部（１５ａ）に調節体支軸５１を配置したことを特徴とする請求項１〜６のいずれか１項に記載のコンバイン。
【発明の詳細な説明】
【技術分野】
【０００１】
本発明は、運転席の前側に穀稈の引起し装置が配置されるコンバインに関するものである。
【背景技術】
【０００２】
下記特許文献１に示された従来技術は、運転席の前側に穀稈を引き起す引起し装置が配置されるコンバインにおいて、各引起し装置の上部を左右方向に長いカバー体によって被覆したものである。このようなカバー体を設けることにより、穀稈（特に長稈）の引起しの際、引起しラグによって脱粒された穀粒や穀稈に付着していた水滴や泥土、さらには引起しラグに付着していた泥土等が運転席側に飛散するのが防止される。そしてその結果、運転席がウインドウで囲まれていない非キャビン型においては運転席のオペレータに穀粒や水滴、泥土（以下、穀粒等ともいう）が直接当たることが防止され、また、ウインドウで囲まれた運転室を有するキャビン型においてはウインドウが水滴、泥土で汚れることが防止される。
【先行技術文献】
【特許文献】
【０００３】
【特許文献１】特開２００２−１７６８２５号公報
【発明の概要】
【発明が解決しようとする課題】
【０００４】
しかし、従来のカバー体は、引起し装置に対する位置及び姿勢を調節できないため、圃場状態や穀稈の長さ等により変化する穀粒等の飛散状況によっては、あるいはオペレータの姿勢、体型等によっては、穀粒等の飛散を効果的に遮断できなかったり、前方視界（特に分草位置の視界）が不必要に遮られたりする、という問題点があった。
そこで、本発明の主たる課題は、かかる問題点を解消することにある。
【課題を解決するための手段】
【０００５】
上記課題を解決した本発明は次のとおりである。
すなわち、請求項１記載の発明は、運転席（５）の前側に、穀稈を引き起す引起し装置（８）が配置されるコンバインにおいて、該引起し装置（８）の上方に、前後方向の傾斜姿勢を変更自在なカバー体（１５）を設けるとともに、このカバー体（１５）に、その前後方向のカバー範囲を拡大自在とする調節体（５０）を設けたことを特徴とするコンバインである。
【０００６】
請求項２記載の発明は、前記カバー体（１５）は、引起し装置（８）の後側で左右方向に架設されたカバー体支軸（１６）を回動支点として上下に揺動することで前後方向の傾斜姿勢を変更する構成とし、前記調節体（５０）は、左右方向に沿う調節体支軸（５１）を介してカバー体（１５）に取り付けられ、この調節体支軸（５１）を回動支点として回動することでカバー体（１５）の前後方向のカバー範囲を拡大する構成としたことを特徴とする請求項１記載のコンバインである。
【０００７】
請求項３記載の発明は、前記調節体（５０）及びカバー体（１５）のいずれか一方に前記調節体支軸（５１）が設けられ、いずれか他方に前記調節体支軸（５１）を弾力的に挟持する一対の挟持部（５２，５３）が設けられ、この挟持部（５２，５３）の少なくとも一方（５３）は調節体支軸（５１）が嵌合する受け溝（５３ｄ）を有することを特徴とする請求項１又は２記載のコンバインである。
【０００８】
請求項４記載の発明は、走行車体（１）の右側部分又は左側部分に運転席（５）を有し、運転席（５）の前方に引起し装置（８）を左右方向に間隔を空けて３基以上有し、前記カバー体（１５）は両端の引起し装置（８）にわたるように延在しており、前記調節体（５０）は少なくとも運転席（５）と対応する左右方向範囲をカバーするように左右方向に延在していることを特徴とする請求項１〜３のいずれか１項に記載のコンバインである。
【０００９】
請求項５記載の発明は、前記引起し装置（８）の横側に配置される刈取サイドカバー（１８，１８）を上部サイドカバー（１８ａ）と下部サイドカバー（１８ｂ）とに分割すると共に、該上部サイドカバー（１８ａ）を前記カバー体（１５）と一体に設けたことを特徴とする請求項１〜４のいずれか１項に記載のコンバインである。
【００１０】
請求項６記載の発明は、前記引起し装置（８）の引起しケース（１２）の上端部前面（１２ｕ）を、該引起しケース（１２）の下部前面よりも傾斜の緩い後上がり傾斜姿勢となるように屈曲形成するとともに、前記調節体（５０）のカバー範囲を前方に拡大することにより前記調節体（５０）の前端が引起しケース（１２）の前面の屈曲位置よりも前方に位置しうる構成としたことを特徴とする請求項１〜５のいずれか１項に記載のコンバインである。
【００１１】
請求項７記載の発明は、前記カバー体（１５）は、引起し装置（８）の上側を覆うための上面カバー部（１５ａ）と、この上面カバー部（１５ａ）の後端部から引起し装置（８）の後側に向かって屈曲する後面カバー部（１５ｂ）とを有し、このうち上面カバー部（１５ａ）に調節体支軸５１を配置したことを特徴とする請求項１〜６のいずれか１項に記載のコンバインである。
【発明の効果】
【００１２】
請求項１記載の発明によれば、カバー体（１５）の前後方向の傾斜姿勢だけでなく、カバー体（１５）の前後方向のカバー範囲を調節できるため、オペレータは、圃場状態や穀稈の長さ等による穀粒等の飛散状況に応じて、あるいはオペレータの姿勢、体型等に応じて、前方視界及び穀粒等の飛散防止を比較考量しつつ、カバー体（１５）を適切な位置及び姿勢に調節できるようになる。例えば、穀粒等が運転席（５）側に飛散するときには、カバー体（１５）の姿勢を穀粒等の飛散方向に対する交差角が直角又はそれに近くなるように姿勢変更し、更に飛散範囲が広いとき等、必要に応じて調節体（５０）によりカバー範囲を拡大することにより、穀粒等の飛散をカバー体（１５）で効果的に遮りつつ、前方視界を可能な限り確保することができる。一方、穀粒等の飛散が無いか、又は運転席（５）側への飛散が少ないときには、カバー体（１５）の姿勢を穀粒等の飛散方向に対して平行又はそれに近くなるように姿勢変更し、更に必要に応じて調節体（５０）を非拡大状態等に調節することにより、前方視界を重視した状態とすることができる。なお、本発明のカバー体（１５）の姿勢及びカバー範囲の調節は、オペレータが任意に変更できるものであり、このような調節形態に限られるものではない。
【００１３】
請求項２記載の発明によれば、上記請求項１記載の発明の効果を奏するうえに、カバー体（１５）の傾斜姿勢は、カバー体（１５）をカバー体支軸（１６）回りに揺動することで変更でき、また調節体（５０）によるカバー範囲の調節は、調節体（５０）をカバー体（１５）に対して調節体支軸（５１）回りに回動することで変更できるため、いずれの変更操作もワンタッチで簡単に行うことができるようになる。またそれだけではなく、調節体（５０）の角度も調節できるため、前方視界の妨げとならないようにカバー範囲を拡大することが可能となる。さらに、カバー体（１５）を上方に揺動させた場合には、オペレータ側への穀粒や泥土の飛散が阻止されるものでありながら、引起しケースの前側カバーの着脱が簡単に行える等、引起し装置（８）のメンテナンスが容易に行える。
【００１４】
請求項３記載の発明によれば、上記請求項１又は２記載の発明の効果を奏するうえに、簡素な構成で調節体（５０）を確実に支持できるようになるとともに、無段階の回動が可能となる。また、調節体（５０）の回動時には、挟持部（５２，５３）と調節体支軸（５１）との摩擦により、接触面間の錆や埃等を素早く取り除くことができ、常時スムーズにカバーを回動させることができるようになる。
【００１５】
請求項４記載の発明によれば、上記請求項１〜３のいずれか１項に記載の発明の効果を奏するうえに、オペレータは運転席（５）から調節体（５０）に手をかけて調節することができ、より的確な調節が可能となるとともに、穀稈の引起しにより後上方へ飛散する穀粒等のうち少なくとも運転席（５）に向かうものについては効果的に遮断することができるようになる。
【００１６】
請求項５記載の発明によれば、上記請求項１〜４のいずれか１項に記載の発明の効果を奏するうえに、上部サイドカバー（１８ａ）をハンドル代わりにして、上部サイドカバー（１８ａ）とともにカバー体（１５）を揺動させることができため、専用のハンドルを設けなくてもカバー体の姿勢変更操作を容易に行うことができるようになる。
【００１７】
請求項６記載の発明によれば、上記請求項１〜５のいずれか１項に記載の発明の効果を奏するうえに、オペレータは運転席（５）に着座したままで引起し装置（８）の引起し始端側（下端側）における分草位置を直視でき、分草引起し状況の確認を容易に行うことができ、刈取作業の能率を高めることができるようになるとともに、必要に応じて調節体（５０）のカバー範囲を前方に拡大することにより側面視で調節体（５０）の前端を引起しケース（１２）の前面の屈曲位置よりも前方に位置させて効果的に穀粒等の飛散防止を図ることも可能となる。
【００１８】
請求項７記載の発明によれば、上記請求項１〜６のいずれか１項に記載の発明の効果を奏するうえに、カバー体（１５）が側面視で略への字型に形成されているので、上面カバー部（１５ａ）の下面部で穀粒等の上方への飛散を阻止し、後面カバー部（１５ｂ）の下面部で穀粒等の後方上方への飛散を阻止することができ、従って、運転席（５）への穀粒等の飛散を確実に防止することができるようになる。
【図面の簡単な説明】
【００１９】
【図１】コンバインの側面図である。
【図２】コンバイン要部の正面図である。
【図３】コンバイン要部の平面図である。
【図４】穀稈引起し装置の要部の側面図である。
【図５】コンバインの側面図である。
【図６】コンバイン要部の正面図である。
【図７】コンバイン要部の平面図である。
【図８】穀稈引起し装置の要部の側面図である。
【図９】コンバインの側面図である。
【図１０】コンバイン要部の正面図である。
【図１１】コンバイン要部の平面図である。
【図１２】穀稈引起し装置の要部の側面図である。
【図１３】コンバイン要部の平面図である。
【図１４】コンバイン要部の正面図である。
【図１５】コンバイン要部の平面図である。
【図１６】コンバインの側面図である。
【図１７】コンバイン要部の正面図である。
【図１８】コンバイン要部の平面図である。
【図１９】穀稈引起し装置の要部の側面図である。
【図２０】コンバイン要部の正面図である。
【図２１】コンバインの側面図である。
【図２２】コンバイン要部の正面図である。
【図２３】補助引起し装置及び穀稈引起し装置の要部の側面図である。
【図２４】穀稈引起し装置の要部の側面図である。
【図２５】穀稈引起し装置の要部の側面図である。
【図２６】カバー体及び調節体の要部の側面図である。
【図２７】カバー体及び調節体の要部の平面図である。
【図２８】穀稈引起し装置の要部の概略縦断面図である。
【図２９】カバー体及び調節体の要部の概略側面図である。
【発明を実施するための形態】
【００２０】
以下、本発明の一実施の形態について添付図面を参照しつつ詳説する。
図１〜図４、図５〜図８及び図９〜図１２はそれぞれ異なる状態のコンバインを示すものである。このコンバインは走行車体１に左右一対の走行クローラ２，２を備え、後部に搭載した脱穀装置３の前方部に刈取部４を設置し、刈取部４の横側部には運転席５や操作ボックス６等の運転操作部を備え、更に、その運転操作部の後方には脱穀粒を一時的に貯留するグレンタンクＧを装備している。
【００２１】
刈取部４は、圃場に植立する穀稈を左右に分草する分草体７，７…と、分草後の穀稈を引起し経路Ｋに沿って引き起す４条の殻稈穀稈引起し装置８，８，８，８と、引起し後の穀稈の株元近くを切断して穀稈を刈り取る刈取装置９と、分草後の穀稈の株元側を掻き込んで刈取装置９を経て後方へ搬送する掻込搬送装置１０と、掻込搬送後の穀稈を引き継いで揚上搬送しながら姿勢変更して脱穀装置３に受け渡し供給する揚上搬送供給装置１１等を有するものである。
【００２２】
刈取部４は、刈取メインフレーム２１により走行車体１に対し上下に昇降可能に装備されているものである。より詳細には、刈取メインフレーム２１は、刈取懸架台２２に袈設された刈取入力軸２３を支点として上下に回動する構成であり、刈取昇降シリンダ２４の伸縮作動により刈取部４が昇降するようになっている。
【００２３】
穀稈引起し装置８は、前後に分割可能な前後の引起しケース１２，１３と、この引起しケース１２，１３に内装された、図示しない伝動スプロケット及び張設輪に巻回されて駆動される無端の引起チェンと、この引起チェンに所定の間隔で取り付けられた引起しラグ１４とを有している。引起しラグ１４は、引起しチェンの駆動に伴って後斜め上方に上昇移動する際、引起しケース１２，１３から引起し経路Ｋ側の側方に突出して穀稈を引き起すものである。前側引起しケース１２は、後側引起しケース１３に対し着脱自在に取り付けできる構成としてあり、上方に引き上げると係止ロック状態が解除され前側に取り外しできるようになっている。各前側引起しケース１２，１２，…の前面は、上端部１２ｕがその下側よりも傾斜の緩い（垂直面に対する上端部１２ｕ前面の傾斜角が下端側より大きく）後方傾斜姿勢となるよう屈曲形成されていて、図９に二点鎖線でオペレータの視線を示すように、着座姿勢での作業における分草位置近傍の視界が良好となり、起立姿勢での作業においては分草位置が良く見えるように構成している。符号１２ｃはこの屈曲位置を示している。
【００２４】
刈取装置９は公知のバリカン型のものであり、刈取部４を支持する刈取メインフレーム２１の下端部から前方に突出する先端部フレームに配設され、穀稈引起し装置８で穂先側が引き起こし作用を受け、株元側が掻込搬送装置１０による掻き込み作用を受けている状態の植立穀稈の株元近くを切断するように構成されている。
【００２５】
刈取後の穀稈は、掻込搬送装置１０により後方へ搬送されて揚上搬送供給装置１１に引き渡され、揚上搬送供給装置１１による揚上搬送過程で姿勢変更された後、フィードチェン３Ｆに引き渡され脱穀装置３に供給される。揚上搬送供給装置１１としては株元側をチェンと挟持杆とで挟持し、穂先側を搬送ラグで掻き上げて搬送する公知の構成を採用することができる。
【００２６】
（カバー体）
各穀稈引起し装置８の上部は、左右横方向に長く構成されたカバー体１５によって被覆される構造になっている。カバー体１５は金属板により形成する他、ポリカーボネート等のプラスチック板により形成することも可能であり、その場合透明又は半透明にしてカバー体１５越しの視認性を確保するのも好ましい。
【００２７】
カバー体１５は、穀稈引起し装置８の引き起し経路Ｋに沿って上昇する引起しラグ１４の上昇軌跡の上方延長線上に配置し、前側引起しケース１２の上端側１２ｕ前面をカバーする状態と、上昇移行する引起しラグ１４における引起し経路Ｋの上方をカバーする状態とに、前後方向の傾斜姿勢を変更自在に構成されている。そして、このカバー体１５の姿勢変更手段として、前後上下のスライド構成とすることもできるが、本実施例では図９〜図１２に示されるように、左端及び右端の穀稈引起し装置８の背部側に支持ステー８ｓ，８ｓがそれぞれ立設されるとともに、これら支持ステー８ｓ，８ｓ間に左右横方向に延在するカバー体支軸１６が袈設され、カバー体１５はこのカバー体支軸１６を回動支点として上下に揺動開閉するよう揺動開閉自在に構成されている。カバー体１５の上方への開側が引起し経路Ｋの上方をカバーする姿勢変更状態（開姿勢）であり、下方への閉側が前側引起しケース１２の上端側１２ｕ前面をカバーする姿勢変更状態（閉姿勢）となる。カバー体１５の開閉は、回動支点付近に設けた引張スプリング１７により、カバー体支軸１６の支点に対してスプリング張力方向を閉側と開側とに切り替え可能な構成になっていて、ワンタッチで揺動開閉することができる。
【００２８】
分草後の穀稈は、図２８に示すように、穀稈引起し装置８の引起しケース１２，１３から引起し経路Ｋ内に突出して上昇する引起しラグ１４が株元側から穂先側にかけて作用することで引き起こされる際、引起し作用によって穀粒等が運転席５のオペレータに向かって飛散することがあるが、カバー体１５を例えば穀粒等の飛散方向と交差する開姿勢に姿勢変更することにより、引起しラグ１４により飛び散る穀粒等をカバー体１５によって効果的に遮ることができる。
【００２９】
カバー体１５は、平板状のもの等、適宜の形状とすることができるが、本実施形態のように、上面カバー部１５ａと後面カバー部１５ｂとからなるように側面視で略への宇型に形成されていると、上面カバー部１５ａの下面部で穀粒等の上方への飛散を阻止し、後面カバー部１５ｂの下面部で穀粒等の後方上方への飛散を阻止することができ、従って、運転席５への穀粒等の飛散を確実に防止することができるようになるため好ましい。
【００３０】
カバー体１５は、開状態において上面カバー部１５ａが引起しラグ１４の上昇軌跡の上方延長線と交差する配置が好ましいが、後面カバー部１５ｂが引起しラグ１４の上昇軌跡の上方延長線と交差する配置とすることも可能である。また、カバー体１５を引起しラグ１４の上昇軌跡の上方延長線から後方側にずらし、後述する調節体５０をそのカバー範囲の前方拡大により引起しラグ１４の上昇軌跡の上方延長線上に位置させる構造とすることも可能である。
【００３１】
本実施形態の多条刈りコンバインのように、左右方向中間の引起し装置の左右両側に引起し経路をそれぞれ有する場合、当該引起し装置の下部前方の分草体により隣接条の穀稈は分離されて左右の各引起し経路に導入される。しかし、穀稈が長稈の場合等においては、図２０に示すように隣接条の穀稈の穂先が絡んで分離されずに当該引起し装置を跨いでクロスしたまま刈取装置９により刈り取られ、後方に搬送されることがある。この際、当該引起し装置の上端とカバー体１５とが接触していると、当該引起し装置を跨ぐクロス部分がこの接触部分に引っ掛かり後方に通過できずに詰まってしまう。また、穀稈の搬送力により穂先の絡みが無理に解けたとしても、穂先相互のしごき作用又はカバー体１５と引起しケース１２，１３との隅部によるしごき作用により穂先の穀粒が脱粒することは避け難い。よって、左右方向中間の穀稈引起し装置８の左右両側に引起し経路をそれぞれ有する場合、図２１〜図２３に示すように、少なくとも当該穀稈引起し装置８の上端とカバー体１５との間に穀稈通過空間１５ｓが確保される構造とし、この穀稈通過空間１５ｓにより左右両側の引起し経路を繋ぐことにより、穀稈の穂先部分がクロスしていてもそのまま後方に通過する構造とするのが好ましい。このような穀稈通過空間１５ｓは、カバー体１５の姿勢如何によらず形成される構造とすることも可能であるが、その場合、カバー体１５の位置が高くなり前方視界の妨げとなるため、カバー体１５を開姿勢としたときにのみ形成される構造とする方が好ましい。
【００３２】
穀稈が倒伏状態で絡みあうような圃場状態で効果的に引起しを行うために、図２１〜図２３に示すように、穀稈引起し装置８の前方位置に、補助引起しラグ６２を前方に突出させながら倒伏状態で絡みあう穀稈に対して左右に分割しながら引起し回動する補助引起し装置６０を取り付けることがある。補助引起し装置６０は、補助引起しケース６１と、この補助引起しケース６１に内装された、図示しない伝動スプロケット及び張設輪に巻回されて駆動される無端の補助引起チェンと、この補助引起チェンに所定の間隔で取り付けられた補助引起しラグ６２とを有している。補助引起しラグ６２は、補助引起しチェンに伴って後斜め上方に上昇移動する際、補助引起しケース６１から前方に突出して穀稈を左右に分割しながら引き起すものである。このような状況における作業では、穀粒や泥土が運転席５側へ跳ね易いため前述のカバー体１５を設けるのが好ましいが、隣接条の穀稈の穂先が絡んで分離されずに補助引起し装置６０及び穀稈引起し装置８を跨いでクロスしたまま搬送される現象が発生し易い。よって、特にこのような補助引起し装置６０を設ける場合は、図示するように前述の穀稈通過空間１５ｓを補助引起し装置６０の補助引起しラグ６２の作用域よりも上方に設け、補助引起し装置６０及び穀稈引起し装置８で引起した穀稈を穂先部分がクロスしていてもそのまま後方に通過するように構成するのが好ましい。
【００３３】
本実施例では、各穀稈引起し装置８の左右両サイドに配置された刈取サイドカバー１８，１８は、上部サイドカバー１８ａと下部サイドカバー１８ｂとに分割され、上部サイドカバー１８ａは、下部サイドカバー１８ｂに対して上側面及び外側面上に重合し、前記カバー体１５と連結により一体化され、該カバー体１５と共に上下に揺動開閉可能に構成されている。刈取サイドカバー１８，１８と上部サイドカバー１８ａとは単一のカバー部材として形成しても良い。これにより、上部サイドカバー１８ａをハンドル代わりにして、上部サイドカバー１８ａとともにカバー体１５を揺動させることができため、専用のハンドルを設けなくてもカバー体１５の姿勢変更操作を容易に行うことができるようになる。また、本実施例では、カバー体１５及び上部サイドカバー１８ａを上方に回動させないと、前側引起しケース１２及び下部サイドカバー１８ｂの取り外しができなくなっているため、カバー体１５及び上部サイドカバー１８ａは、その下方への閉動によって前側引起しケース１２及び下部サイドカバー１８ｂをロックするロック機構の役目を果たす構造になっている。よって、上部サイドカバー１８ａの下部に重合した下部サイドカバー１８ｂの着脱が簡単に行え、刈取部のメンテナンスも容易である。
【００３４】
図１６〜図１９に示すように、カバー体１５を揺動開閉するためのハンドル１５Ｈをカバー体１５に取り付けることも可能である。このハンドル１５Ｈは、運転席５からカバー体１５を揺動操作できるように、カバー体１５の運転席５に近い部位、例えば運転席５前方の部位から上方に突出しているのが好ましい。
【００３５】
本実施例におけるカバー体１５には、その前後方向カバー範囲を拡大自在である調節体５０が設けられている。この調節体５０により、カバー体１５の前後方向の傾斜姿勢だけでなく、カバー体１５の前後方向カバー範囲を調節できるため、オペレータは、圃場状態や穀稈の長さ等による穀粒等の飛散状況に応じて、あるいはオペレータの姿勢、体型等に応じて、前方視界及び穀粒等の飛散防止を比較考量しつつ、カバー体１５を適切な位置及び姿勢に調節できるようになる。
【００３６】
例えば、穀粒等が運転席５側に飛散するときには、図２９（ｂ）及び図２３に示すようにカバー体１５の姿勢を穀粒等の飛散方向に対する交差角が直角又はそれに近くなる開姿勢に変更し、更に飛散範囲が広いとき等、必要に応じて図２９（ｃ）及び図８に示すように調節体５０によりカバー範囲を前方に拡大することにより、穀粒等の飛散をカバー体１５で効果的に遮りつつ、前方視界を可能な限り確保することができる。一方、穀粒等の飛散が無いか、又は運転席５側への飛散が少ないときには、図２９（ａ）及び図２４に示すようにカバー体１５の姿勢を穀粒等の飛散方向に対して平行又はそれに近くなる閉姿勢に変更し、更に必要に応じて調節体５０を非拡大状態に調節することにより、前方視界を重視した状態とすることができる。さらにこれらの中間程度のカバー範囲とするために、図２９（ｄ）及び図２５に示すようにカバー体１５の姿勢を穀粒等の飛散方向に対して平行又はそれに近くなるように姿勢変更するとともに、調節体５０を前方に拡大した状態とすることも可能である。このように、カバー体１５の姿勢及びカバー範囲の調節は、オペレータが任意に変更できるものであり、このような調節形態に限られるものではない。
【００３７】
調節体５０は、透明又は半透明のポリカーボネート等のプラスチック板により形成して調節体５０越しの視認性を確保するのが好ましいが、金属板により形成することも可能である。調節体５０の形状は適宜定めることができ、図示例のような矩形状の他、前端縁が弧状に張り出した形状等とすることも可能である。
【００３８】
本実施形態の調節体５０は、カバー体１５の前側カバー範囲を拡大するものであるが、後側又は前後両側のカバー範囲を拡大する構造としても良い。調節体５０におけるカバー範囲の拡大量は適宜定めることができるが、図５に示すように、カバー体１５の前端が最も前方に位置する姿勢変更状態で前側引起しケース１２の屈曲位置１２ｃよりも後方に位置するとともに、調節体５０のカバー範囲を前方に拡大することにより調節体５０の前端が前側引起しケース１２の屈曲位置１２ｃよりも前方に位置しうる構成とするのが好ましい。これにより、調節体５０の前端を前側引起しケース１２の屈曲位置１２ｃより後方に位置させれば、オペレータは運転席５に着座したままで分草位置を直視でき、分草引起し状況の確認を容易に行うことができ、刈取作業の能率を高めることができるようになるとともに、必要に応じて調節体５０の前端を前側引起しケース１２の前面の屈曲位置１２ｃよりも前方に位置させて効果的に穀粒等の飛散防止を図ることも可能となる。
【００３９】
本実施形態の多条刈りコンバインでは、走行車体１の右側部分（又は左側部分）に運転席５を有し、運転席５の前方にも穀稈引起し装置８を有している。このような多条刈りコンバインでは、カバー体１５は両端の穀稈引起し装置８にわたるように延在させるとともに、調節体５０は少なくとも運転席５と対応する左右方向範囲をカバーするように左右方向に延在させるのが好ましい。この場合、図１〜図１２に示される例のように、カバー体１５の左右方向の略全体にわたり調節体５０を設けると籾殻等の飛散防止効果に優れるが、図１４及び図１５に示すように運転席５の前方位置のみに調節体５０を設けて安価で前方視界に優れる構成とすることも可能である。また、いずれにせよ、オペレータは運転席５から調節体５０に手をかけて調節することができ、より的確な調節が可能となるとともに、穀稈の引起しにより後上方へ飛散する穀粒等のうち少なくとも運転席５に向かうものについては効果的に遮断することができるようになる。
【００４０】
特に、調節体５０を直接手で操作する場合は、カバー体１５及び調節体５０は左端の穀稈引起し装置８の左端部又は右端の穀稈引起し装置８の右端部（特に運転席５側）まで延在しているのが好ましい。また図１３に示すように、運転席５が走行車体の右側部分に位置し穀稈引起し装置８が運転席５よりも右側まで張り出している場合は、この張り出し部分からの籾殻等の飛散をも防止するため、カバー体１５及び調節体５０を運転席５の右側まで延在させるのが好ましい。運転席５が左側で穀稈引起し装置８の張り出しが左側の場合も同様にカバー体１５及び調節体５０を運転席５の左側まで延在させるのが好ましい。
【００４１】
調節体５０の拡大調節機構は適宜定めることができ、拡大方向に沿ってスライドする機構（図示略）を採用することもできるが、本実施例の調節体５０は、図２４〜図２７に示すように、基端部がカバー体１５の前端部に設けられた左右方向に沿う調節体支軸５１によりカバー体１５に軸支され、先端側の部分がこの調節体支軸５１を回動支点として回動することでカバー体１５の前後方向カバー範囲を拡大するものである。この場合、調節体５０によるカバー範囲の調節は、調節体５０をカバー体１５に対して調節体支軸５１回りに回動することで変更できるため、変更操作がワンタッチで簡単になるだけでなく、調節体５０の角度も調節できるため、前方視界の妨げとならないようにカバー範囲を拡大することも可能である。さらに、カバー体１５を上方に揺動させた場合には、オペレータ側への穀粒や泥土の飛散が阻止されるものでありながら、前側引起しケース１２の着脱が簡単に行える等、引起し装置８のメンテナンスが容易に行えるという利点もある。
【００４２】
この調節体５０の回動機構も適宜定めることができるが、本実施例では、調節体５０に調節体支軸５１を弾力的に挟持する一対の挟持部５２，５３を設け、一方の挟持部５２をある程度の弾性を有する平板状体（バネ材）により構成し、他方の挟持部５３を調節体支軸５１が嵌合する円弧状の受け溝５３ｄを有する板状体により構成している。これにより、簡素・安価な構成で調節体５０を確実に支持できるようになるとともに、無段階の回動が可能となる。また、調節体５０の回動時には、挟持部５２，５３と調節体支軸５１との摩擦により、接触面間の錆や埃等を素早く取り除くことができ、常時スムーズにカバーを回動させることができるようになる。
【００４３】
また、本実施例の一対の挟持部５２，５３は挟持方向に貫通するネジ挿通孔を有し、これらの螺子挿通孔に対して一方側から他方側へ調節ボルト５４ｂを挿し通してナット体５４ｎに螺合させ、締め付けることにより一方の挟持部５２を他方の挟持部５３に対して弾力的に押し付ける構造となっているため、調節ボルト５４ｂの締め付けトルクのみで調節体５０の回動荷重を容易に調整することができる。よって、このような回動荷重調整手段を設けるのは好ましい。
【００４４】
さらに、調節体支軸５１をカバー体１５の左右方向に間隔を空けて複数か所に設けるとカバー体１５の支持が安定するため好ましく、その場合に各調節体５０に前述の回動荷重調整手段を設け、運転席５から遠い方の調節体支軸５１における調節体５０の回動荷重を、運転席５側の調節体支軸５１における調節体５０の回動荷重より弱くすると、運転席５側から調節体５０を容易に回動させることができるため好ましい。
【００４５】
本実施例では、調節体支軸５１をカバー体１５に設け、挟持部５２，５３を調節体５０に設けているが、反対に挟持部５２，５３をカバー体１５に設け、調節体支軸５１を調節体５０に設けても良い。
【００４６】
他方、図示の実施例は、運転席５がウインドウで囲まれていない非キャビン型への適用例であるが、本発明は、ウインドウで囲まれた運転室を有するキャビン型にも適用することができ、その場合にもウインドウの水滴、泥土による汚れを防止できるといった利点がもたらされる。
【産業上の利用可能性】
【００４７】
本発明は、運転席の前側に穀稈の引起し装置が配置されるコンバインに利用できるものである。
【符号の説明】
【００４８】
５    運転席
８    穀稈引起し装置
Ｋ    引起し経路
１２    引起しケース（前側）
１２ｕ  前側引起しケースの上端部前面
１２ｃ  屈曲位置
１４    引起しラグ
１５    カバー体
１５ａ  上面カバー部
１５ｂ  後面カバー部
１６    支軸
１８    刈取サイドカバー
１８ａ  上部サイドカバー
１８ｂ  下部サイドカバー
５０    調節体
５１    調節体支軸
５２    挟持部
５３    挟持部
５３ｄ  受け溝
６０    補助引起し装置
【図１】
2011244726.tif 000003
【図２】
2011244726.tif 000004
【図３】
2011244726.tif 000005
【図４】
2011244726.tif 000006
【図５】
2011244726.tif 000007
【図６】
2011244726.tif 000008
【図７】
2011244726.tif 000009
【図８】
2011244726.tif 000010
【図９】
2011244726.tif 000011
【図１０】
2011244726.tif 000012
【図１１】
2011244726.tif 000013
【図１２】
2011244726.tif 000014
【図１３】
2011244726.tif 000015
【図１４】
2011244726.tif 000016
【図１５】
2011244726.tif 000017
【図１６】
2011244726.tif 000018
【図１７】
2011244726.tif 000019
【図１８】
2011244726.tif 000020
【図１９】
2011244726.tif 000021
【図２０】
2011244726.tif 000022
【図２１】
2011244726.tif 000023
【図２２】
2011244726.tif 000024
【図２３】
2011244726.tif 000025
【図２４】
2011244726.tif 000026
【図２５】
2011244726.tif 000027
【図２６】
2011244726.tif 000028
【図２７】
2011244726.tif 000029
【図２８】
2011244726.tif 000030
【図２９】
2011244726.tif 000031